(57)【特許請求の範囲】
【請求項１】
壁面に取付けるための長尺な基板と、該基板に取付けるための手摺りブラケットと、前記基板に係止され該基板の伸び方向に伸びて該基板を覆うカバー部材と、を備える手摺りにおいて、
前記カバー部材が、第１カバー部材と第２カバー部材とを備え、
前記第１カバー部材が、前記手摺りブラケットよりも前記基板の幅方向一方側において、該基板の表面を覆うように該基板に係止され、
前記第２カバー部材が、前記手摺りブラケットよりも前記基板の幅方向他方側において、該基板に係止され、
前記第１カバー部材が、前記基板の幅方向一方側外方に向けて、該基板を超えて伸ばされ、
前記第１カバー部材と前記第２カバー部材との間に、該第１カバー部材と該第２カバー部材との間の目地を被覆する目地被覆部材が嵌め込まれている、
ことを特徴とする手摺り。
【請求項２】
請求項１において、
前記基板の表面側に、前記手摺りブラケットよりも該基板の幅方向一方側において、第１被係止部が設けられていると共に、該第１被係止部よりも該基板の幅方向一方側において、第２被係止部が設けられ、
前記基板の表面側に、前記手摺りブラケットよりも該基板の幅方向他方側において、第３被係止部が設けられていると共に、該第３被係止部よりも該基板の幅方向他方側において、第４被係止部が設けられ、
前記第１カバー部材の裏面に、前記第１被係止部に係止される第１係止部と、前記第２被係止部に係止される第２係止部とが設けられ、
前記第２カバー部材の裏面に、前記第３被係止部に係止される第３係止部と、前記第４被係止部に係止される第４係止部とが設けられている、
ことを特徴とする手摺り。
【請求項３】
請求項２において、
前記基板の表面に、該基板の伸び方向において、前記手摺りブラケットに隣り合うようにしてカバー受け部材が取付けられ、
前記カバー部材が、前記第１，第３被係止部を有するように設定されている、
ことを特徴とする手摺り。
【請求項４】
請求項３において、
前記第２，第４被係止部が、前記基板の表面から起立する垂直片部を有する構成とされ、
前記第２，第４被係止部の両垂直片部が、平行状態を維持しつつ、前記基板の伸び方向に伸ばされ、
前記第２，第４被係止部の垂直片部間に対して前記手摺りブラケット及び前記カバー受け部材が嵌め込み可能とされている、
ことを特徴とする手摺り。
【請求項５】
請求項１において、
前記基板の表面側に、前記手摺りブラケットよりも前記基板の幅方向一方側において、第１被係止部が設けられていると共に、該第１被係止部よりも該基板の幅方向一方側において、第２被係止部が設けられ、
前記第１カバー部材が、可撓性を有するように設定されていると共に、該第１カバー部材の裏面に、前記第１被係止部に係止される第１係止部と、前記第２被係止部に係止される第２係止部とが設けられ、
前記第２係止部が、前記第１カバー部材の幅方向一方側外端よりも幅方向内方側に位置され、
前記第１カバー部材が、前記基板に係止されている状態において、該基板の幅方向一方側外方に向うに従って該基板側に倒れるように傾斜されている、
ことを特徴とする手摺り。
【請求項６】
請求項５において、
前記基板表面からの前記第２被係止部の突出量が、該基板表面からの第１被係止部の突出量よりも少なくなるように設定されている、
ことを特徴とする手摺り。
【請求項７】
請求項１において、
前記手摺りブラケットに、前記第１カバー部材と第２カバー部材との間の空間の断面が臨む領域において、切り欠きが形成され、
前記切り欠きに前記目地被覆部材の端部が挿入されている、
ことを特徴とする手摺り。
【発明の詳細な説明】
【技術分野】
【０００１】
本発明は、手摺りに関するものである。
【背景技術】
【０００２】
手摺り構造には、特許文献１に示すように、壁面に壁面ガードレールの基板を所定間隔毎に取付け、その各所定間隔に、手摺りを取付けるための手摺りブラケットを配置したものがある。このものにおいては、壁面ガードレールの上壁の一部を手摺りブラケットが担って連続性が確保されるものの、その手摺りブラケットの材質が各壁面ガードレールの材質と異なることから、違和感を生じる。
【０００３】
このため、壁面ガードレールの上壁が同一材料で連続するようにすべく、特許文献２に示すように、壁面ガードレールを、壁面に取付けるための長尺な基板と、その基板に係止させてその基板を覆うカバー部材とで構成したものにおいて、基板に上壁部と共にその上壁部の先端から下側に垂れる前垂部を形成し、その前垂部の先端部にカバー部材を係止するための係止部を形成すると共に、その前垂部に先端から内方に向けて切り欠きを形成したものがある。このものにおいては、手摺りブラケットを基板に固定しても、その手摺りブラケット（先端側）が前記切り欠きを介して外方に伸ばすことができることになり、壁面ガードレールの上壁を同一材料で連続するようにしつつ、カバー部材（の一端部）を、手摺りブラケットと干渉することなく、前垂部に係止できることになる。
【特許文献１】特開２００３−３０７００６号公報
【特許文献２】特開２００４−３３９７３９号公報
【発明の開示】
【発明が解決しようとする課題】
【０００４】
しかし、上記手摺り構造においては、壁面ガードレールの前垂部を切り欠いて切り欠きを形成しなければならず、このような切り欠き作業は、施工現場において、作業者がカッター等の切断手段を用いて行わなければならない。このため、作業者に負担を強いるだけでなく、仕上げの出来映えが作業者の熟練度に依存されることになる。
【０００５】
本発明は以上のような事情を勘案してなされたもので、その技術的課題は、手摺りブラケットを挿通させるための切り欠きを形成しなくても、上壁を同一材料を用いて連続させることができる手摺りを提供することにある。
【課題を解決するための手段】
【０００６】
前記目的を達成するために本発明（請求項１に係る発明）にあっては、
壁面に取付けるための長尺な基板と、該基板に取付けるための手摺りブラケットと、前記基板に係止され該基板の伸び方向に伸びて該基板を覆うカバー部材と、を備える手摺りにおいて、
前記カバー部材が、第１カバー部材と第２カバー部材とを備え、
前記第１カバー部材が、前記手摺りブラケットよりも前記基板の幅方向一方側において、該基板の表面を覆うように該基板に係止され、
前記第２カバー部材が、前記手摺りブラケットよりも前記基板の幅方向他方側において、該基板に係止され、
前記第１カバー部材が、前記基板の幅方向一方側外方に向けて、該基板を超えて伸ばされ、
前記第１カバー部材と前記第２カバー部材との間に、該第１カバー部材と該第２カバー部材との間の目地を被覆する目地被覆部材が嵌め込まれている構成としてある。この請求項１の好ましい態様としては請求項２以下の記載の通りとなる。
【発明の効果】
【０００７】
請求項１に係る発明によれば、カバー部材として、基板の幅方向一方側に配設される第１カバー部材と、基板の幅方向他方側に配設される第２カバー部材とが用いられることから、基板の幅方向一方側を下側に向けつつ当該手摺りを壁面に取付ければ、基板の手摺りブラケットよりも上側領域を、その基板の伸び方向全長に亘って第２カバー部材により完全に覆うことができると共に、基板の手摺りブラケットよりも下側領域を、その基板の伸び方向全長に亘って第１カバー部材により完全に覆うことができることになり、当該手摺りユニットの上壁の途中に手摺りブラケットを介在させたり、手摺りブラケットのために特別に切り欠きを形成する必要がなくなる。このため、手摺りブラケットを挿通させるための切り欠きを形成しなくても、上壁を同一材料を用いて連続させることができる手摺りを提供できることになる。
また、第１カバー部材が、基板の幅方向一方側外方に向けて、基板を超えて伸ばされることから、当該手摺りが腰壁の上方側に配設されるときは、第１カバー部材が、腰壁の表面に当接してその上部を覆い隠すことになり、第１カバー部材と腰壁２との見切り線をきちんとできると共に腰壁の木口処理を不要とできることになる。
【０００８】
請求項２に係る発明によれば、基板の表面側に、手摺りブラケットよりも該基板の幅方向一方側において、第１被係止部が設けられていると共に、該第１被係止部よりも該基板の幅方向一方側において、第２被係止部が設けられ、基板の表面側に、手摺りブラケットよりも該基板の幅方向他方側において、第３被係止部が設けられていると共に、該第３被係止部よりも該基板の幅方向他方側において、第４被係止部が設けられ、第１カバー部材の裏面に、第１被係止部に係止される第１係止部と、第２被係止部に係止される第２係止部とが設けられ、第２カバー部材の裏面に、第３被係止部に係止される第３係止部と、第４被係止部に係止される第４係止部とが設けられていることから、第１，第２カバー部材を基板の所定位置に的確に取付けることができることになる。
【０００９】
請求項３に係る発明によれば、基板の表面に、該基板の伸び方向において、手摺りブラケットに隣り合うようにしてカバー受け部材が取付けられ、カバー部材が、第１，第３被係止部を有するように設定されていることから、基板の所定個所に、手摺りブラケットとの配置関係、取付けタイミングを考慮しつつ、第１，第３被係止部を設けることができることになり、その第１，第３被係止部を用いて第１，第２カバー部材を的確に基板に取付けることができることになる。
【００１０】
請求項４に係る発明によれば、第２，第４被係止部が、基板の表面から起立する垂直片部を有する構成とされ、その第２，第４被係止部の両垂直片部が、平行状態を維持しつつ、前記基板の伸び方向に伸ばされ、その第２，第４被係止部の垂直片部間に対して手摺りブラケット及びカバー受け部材が嵌め込み可能とされていることから、手摺りブラケットの取付けに関し、手摺りブラケットを第２，第４被係止部の垂直片部により案内させつつスライドさせて、下地部材に対応する位置に容易に移動させることができ、カバー受け部材の取付けに関しては、第２，第４被係止部の垂直片部間にカバー受け部材の仮止めを可能として、正規の取付け作業を容易にできることになる。
【００１１】
請求項５に係る発明によれば、基板の表面側に、手摺りブラケットよりも基板の幅方向一方側において、第１被係止部が設けられていると共に、該第１被係止部よりも該基板の幅方向一方側において、第２被係止部が設けられ、第１カバー部材が、可撓性を有するように設定されていると共に、該第１カバー部材の裏面に、第１被係止部に係止される第１係止部と、第２被係止部に係止される第２係止部とが設けられ、第２係止部が、前記第１カバー部材の幅方向一方側外端よりも幅方向内方側に位置され、第１カバー部材が、基板に係止されている状態において、該基板の幅方向一方側外方に向うに従って該基板側に倒れるように傾斜されていることから、当該手摺りを腰壁上方側の壁面に、その基板の幅方向一方側を下側に向けつつ取付ければ、第１カバー部材のうち、その幅方向一方側外端から第２係止部までを、傾斜した可撓性自由端部として利用して、それらを様々な板厚の腰壁の表面に当接させることができることになる。このため、様々な板厚の腰壁に対して的確に対応できることになる。
【００１２】
請求項６に係る発明によれば、基板表面からの第２被係止部の突出量が、基板表面からの第１被係止部の突出量よりも少なくなるように設定されていることから、第１カバー部材が平板状でも、第１，第２被係止部の突出量の関係を利用して、その第１カバー部材を腰壁側に倒れるように傾斜させることができ、第１カバー部材を特別に加工変形させる必要性をなくすことができることになる。
【００１３】
請求項７に係る発明によれば、手摺りブラケットに、第１カバー部材と第２カバー部材との間の空間の断面が臨む領域において、切り欠きが形成され、切り欠きに目地被覆部材の端部が挿入されていることから、外見上、目地被覆部材の表面から手摺りブラケットが植立されているようにすることができ、見栄えを向上させることができることになる。
また、目地被覆部材の切断作業で、短い方向において寸法誤差が生じても、手摺りブラケットの切り欠きに基づく切り欠き段部により隠すことができると共に、熱膨張に基づく目地被覆部材の変位を切り欠きが形成する空間により吸収できることになる。
さらに、目地被覆部材が切り欠き内に入り込んで、その切り欠き段部の後方側に位置することから、目地被覆部材が前方に移動することがその切り欠き段部により規制されることになり、目地被覆部材が前方側に抜け出ることを防止できることになる。
【発明を実施するための最良の形態】
【００１４】
図１において、符号１Ａは、建築物、例えば病院や介護施設の廊下の壁体１の壁面である。この壁面１Ａには、床面から一定高さをもって腰壁２が設けられていると共に、その腰壁２の上側において、手摺り３が略水平方向に伸びるようにして取付けられている。
【００１５】
前記手摺り３は、見切り材４と手摺りユニット５とを備えている。見切り材４の高さ位置は、図示を略すストレッチャーが当接されることの多い高さ位置に設定され、手摺りユニット５の高さ位置は、起立歩行者が横に手を伸ばした高さ位置となるように設定されている。
【００１６】
前記見切り材４は、図１〜図４に示すように、基板６と、カバー受け部材７と、カバー部材８と、目地被覆部材９とを有する。
【００１７】
前記基板６は、図２〜図５に示すように、一定幅を維持しつつ一方向に伸びる長尺な板状体として形成されており、その背面は、壁面１Ａに沿わせるべく平坦面に形成されている。この基板６は、その幅方向一方側を下側に向けつつ、腰壁２の上方側において、壁体１（２枚のボード）及びその裏面側に配置される補強板１０に留めねじ１１により固定されており、基板６は、略水平方向に伸びることになっている。この基板６には、その表面側の下部（幅方向一方側端部）において、被係止部（第２被係止部）１２が一体的に設けられ、基板６の上部（幅方向他方側端部）には被係止部（第４被係止部）１３が設けられている。この両被係止部１２，１３は共通の構成とされており、その各被係止部１２（１３）は、前方つまり壁面１Ａから離れる方向に突出する垂直片部としての第１部分１２ａ（１３ａ）と、その第１部分１２ａ（１３ａ）の先端部から基板６の幅方向外方側に折曲される第２部分１２ｂ（１３ｂ）とを有している。この各被係止部１２（１３）の第１，第２部分１２ａ、１２ｂ（１３ａ、１３ｂ）は、平行状態を維持しつつ基板６の伸び方向全長に亘って形成されており、基板６の下部（幅方向一方側）には、その基板６と被係止部１２の第１，第２部分１２ａ、１２ｂとによって、下方側に開口する下側係合溝１４が形成され、基板６の上部（幅方向他方側）には、その基板６と被係止部１３の第１，第２部分１３ａ、１３ｂとによって、上方側に開口する上側係合溝１５が形成されている。また、この基板６の表面側においては、被係止部１３の第１部分１３ａと被係止部１２の第１部分１２ａとが案内溝１６を区画することになっており、その案内溝１６も、略水平方向（基板６の伸び方向）に伸びることになっている。
【００１８】
前記カバー受け部材７は、図２、図４、図７、図８に示すように、基板６の表面に所定間隔毎に複数設けられている。この各カバー受け部材７は、基板６の伸び方向長さよりも短い伸び形状に形成されており、それらは、基板６の伸び方向全長内に収まることになっている。この各カバー受け部材７は、一定幅をもって伸びる底部１７と、その底部１７の幅方向両側から起立する一対の起立部１８ａ，１８ｂと、その各起立部１８ａ，１８ｂの起立端部から、滑らかな曲面をもちつつ、底部１７の幅方向外方側に向うに従って該起立部１８ａ（１８ｂ）の起立方向とは反対側に向うよう伸びる一対の湾曲部１９ａ，１９ｂと、を有している。この各カバー受け部材７は、一対の湾曲部１９ａ，１９ｂの先端部を前記両被係止部１２，１３の第１部分１２ａ、１３ａに当接させた状態で、案内溝１６に嵌め込まれており、その状態を維持すべく、その底部１７は、留めねじ２０により基板６を介して壁体１及び補強板１０に固定されている。このカバー受け部材７は、基板６の幅方向一方側（下側）に配置される湾曲部１９ａと起立部１８ａとの交差部の形状を利用して、被係止部（第１被係止部）２１を形成しており、本実施形態においては、湾曲部１９ａと起立部１８ａとの交差部分を一対の起立部１８ａ，１８ｂ間に若干、突出させて、係合突部２２ａが形成されている。同様に、基板６の幅方向他方側（上側）に配置される湾曲部１９ｂと起立部１８ｂとは、その交差部の形状を利用して、被係止部（第３被係止部）２３を形成しており、その湾曲部１９ｂと起立部１８ｂとの交差部分においても、一対の起立部１８ａ，１８ｂ間に若干、突出する係合突部２２ｂが形成されている。この場合、基板６表面からの被係止部２１（２３）の突出寸法は、基板６表面からの前記被係止部１２（１３）の突出寸法よりも大きくされている。
また、各カバー受け部材７の底部１７の内面には、一対の突条３０が形成されている。この一対の突条３０は、リブとしての機能の他に、後述の目地被覆部材９の高さ調整を行うことを目的としたもので、その目的を果たすために、その一対の突条３０はカバー受け部材７の伸び方向に伸ばされている。
【００１９】
前記カバー部材８は、図１〜図４、図９〜図１１に示すように、基板６の幅方向一方側（下側）に配置されて基板６及びカバー受け部材７を覆う下側カバー部材（第１カバー部材）２４と、基板６の幅方向他方側（上側）に配置されて基板６及びカバー受け部材７を覆う上側カバー部材（第２カバー部材）２５とを有している。各カバー部材２４（２５）は、ある程度の可撓性を有する板状体として形成されており、その各カバー部材２４（２５）は、一定幅を維持しつつ基板６の伸び方向長さと同じ長さだけ伸び、その各一定幅は、前記被係止部１２（１３）と前記被係止部２１（２３）との間の距離よりも十分に長い長さに設定されている。この下側カバー部材２４の裏面には、被係止部（第１被係止部）２１に係止される第１係止部２６と、被係止部１２に係止される第２係止部２７とが設けられ、上側カバー部材２５の裏面には、被係止部（第３被係止部）２３に係止される第３係止部２８と、前記被係止部１３に係止される第４係止部２９とが設けられている。この第１係止部２６と第３係止部２８とは同じ構成とされ、第２係止部２７と第４係止部２９とは同じ構成とされている。第１係止部２６及び第３係止部２８は、各カバー部材２４（２５）の幅方向一端においてその伸び方向全長に亘って突設されており、それらは、被係止部２１（２３）に係止できるようにすべく爪部を有する形状とされている。第２係止部２７及び第４係止部２９は、各カバー部材２４（２５）の幅方向中央部よりもやや幅方向外方側において位置されており、それらは、各カバー部材２４（２５）の伸び方向全長に亘って、各カバー部材２４（２５）の裏面から離れる方向に突出する第１部分２７ａ（２９ａ）と、その第１部分２７ａ（２９ａ）の先端部から第１係止部２６（第３係止部２８）側に向けて折曲される第２部分２７ｂ（２９ｂ）とを有する構成とされている。
この基板６の被係止部１２に下側カバー部材２４の第２係止部２７が係止されると共に、被係止部２１に第１係止部２６が係止されることにより、下側カバー部材２４は、基板６に保持されることになっており、その下側カバー部材２４は、基板６及びカバー受け部材７を下側において基板６の伸び方向全体に亘って完全に覆うだけでなく、それらを超えて下方向に伸びることになっている。その下側カバー部材２４の基板６を超える下側部分２４ａは、腰壁２の上部を覆い隠すことになっており、これに基づき、下側カバー部材２４（見切り材４）と腰壁２との見切り線をきちんとできると共に腰壁２の木口処理を不要とできることになっている。
しかもこの場合、下側カバー部材２４がある程度の可撓性を有すると共に、被係止部１２の突出量が被係止部２１の突出量よりも少なくされて、下側カバー部材２４が腰壁２側に倒れるように傾斜されていることから、下側カバー部材２４は、腰壁２表面に当接して、その様々な板厚に従って撓み、様々な板厚の腰壁２に対して的確に対応することができることになる。
【００２０】
同様に、基板６の被係止部１３に上側カバー部材２５の第４係止部２９が係止されると共に、被係止部２３に第３係止部２８が係止されることにより、上側カバー部材２５は、基板６に保持されることになっており、その上側カバー部材２５は、基板６及びカバー受け部材７を上側において基板６の伸び方向全体に亘って完全に覆うと共に、それらを超えて上方向に伸びることになっている。
【００２１】
前記目地被覆部材９は、図１１に示すように、後述の手摺りユニット５（取付けブラケット３１）の両側に隣り合うようにしつつ、前記下側カバー部材２４と前記上側カバー部材２５との間に嵌め込まれている。この目地被覆部材９は、断面コ字状態で伸びる形状とされており、その目地被覆部材９は、その開口側が基板６側に向けて嵌め込まれて、見切り材４の表面を略滑らかな連続面に形成すると共に、抜け出ないようにすべく、第１，第３係止部２６，２８を被係止部２１，２３に押し付ける機能を果たすことになっている。この場合、カバー受け部材７の開口端がカバー受け部材７の一対の突条３０に当接して、見切り材４の表面を連続面とするために高さ調整がなされることになる。
【００２２】
前記手摺りユニット５は、図１〜図３に示すように、複数の取付けブラケット３１（手摺りブラケット）と手摺り本体３２とを有しており、手摺り本体３２が複数の取付けブラケット３１を介して見切り材４に取付けられることになっている。
前記各取付けブラケット３１は、本実施形態においては、図５〜図８に示すように、取付けフランジ部３３と、その取付けフランジ部３３に一体的に設けられる支持片部３４とを有している。取付けフランジ部３３は、略正方形の板状に形成されており、その高さは、前記上下の被係止部（第２，第４被係止部）１２，１３間に嵌め込む程度に設定され、その幅は隣り合うカバー受け部材７間の所定間隔と略同一幅に設定され、その厚みはカバー受け部材７（湾曲部１９ａ，１９ｂ）の厚みよりも薄く設定されている。この取付けフランジ部３３は、各隣り合うカバー受け部材７間に配置されることになっており、そこにおいて、留めねじ３５を用いることにより基板６を介して壁体１、補強板１０又は下地部材に固定されることになっている。この取付けフランジ部３３は、留めねじ３５による壁体１への固定前において、上下の被係止部（第２，第４被支持部）１２，１３に対してスライド可能に保持（嵌合）される関係となっている。このため、基板６を壁面１Ａの正規の位置に取付けてしまえば、取付けフランジ部３３を上下の被係止部１２，１３間に嵌合するだけでその高さ位置が自動的に決まるばかりか、取付けフランジ部３３を基板６上でスライドさせて横方向の所定位置、すなわち、補強板１０又は壁面１Ａ裏側において縦方向に設けられる下地部材に対応する位置に位置させることができることになる（図５，図８の矢印等参照）。
【００２３】
前記支持片部３４は、前記取付けフランジ部３３表面の略中央部から前方へ略水平に伸びる突出部３７とその突出部３７に連続する起立部３８とを有している。突出部３７は、前記下側カバー部材２４と前記上側カバー部材２５との間の空間を貫通して前方へ伸びており、この構成に基づき、前記上側カバー部材２５は、突出部３７に干渉することなく、基板６及びカバー受け部材７の上側部分を完全に覆うことになっている。この突出部３７は、基板６の表面に近づくに従って該基板６の伸び方向に拡がることになっており、その突出部３７には、基板６の伸び方向両側において、切り欠き３９が形成されている。この両切り欠き３９には、前記目地被覆部材９の端部が嵌め込まれており、この切り欠き３９に基づき、目地被覆部材９の切断誤差をその突出部３７の切り欠き段部４０により隠すことができると共に、熱膨張に基づく目地被覆部材９の変位を吸収でき、さらには、その切り欠き段部４０に基づき目地被覆部材９が見切り材４の表面側に抜け出ることを規制できることになっている。
【００２４】
前記起立部３８は、突出部３７の先端部から上方へ向けて伸びている。その起立部３８の起立端部には手摺り本体３２が取付けられている。
【００２５】
前記手摺り本体３２は、外観上、歩行者が握ることができる程度の径の棒部材として形成されており、その手摺り本体３２は、心材部４１と、心材部４１の全周囲を囲む被覆部４２とにより構成されている。心材部４１は、例えばアルミニウム合金等の金属材を押し出し成形することによって形成されて、留めねじ４３によって支持片部３４に固定されており、被覆部４２は、例えば軟質合成樹脂を押し出し成形することにより形成されている。
【００２６】
次に、壁面１Ａに対する上記手摺り３の取付けについて説明する。
先ず、図５に示すように、腰壁２上方の壁面１Ａに、基板６を、留めねじ１１を用いて略水平方向に伸びるように固定する。この場合、基板６は、ストレッチャーが当接されることの多い高さ位置に位置させることが好ましい。
【００２７】
次に、図５に示すように、手摺り本体３２を取付けるための取付けブラケット３１を、留めねじ３５を用いることにより、基板６を介して壁体１及び補強板１０（又は下地部材）に固定する。この場合、取付けブラケット３１の取付けフランジ部３３は、起立部３８を上方に向けて起立させた姿勢を採りつつ、上下の被係止部１２，１３間に嵌合されると共に、その嵌合状態の下で上下の被係止部１２，１３により案内されつつスライドされて、壁体１裏側の補強板１０（又は下地部材）に対応する位置に位置される。これにより、取付けフランジ部３３を上下の被係止部１２，１３間に嵌合するだけで、基板６の正規位置を利用して、その取付けフランジ部３３（取付けブラケット３１）の高さ位置を自動的に決めることができ、また、壁体１裏側の補強板１０（又は下地部材）に対応する位置に位置させるに際して、取付けフランジ部３３を基板６上をスライドさせて位置決めることができることになり、位置決め作業を簡単に行うことができることになる。
【００２８】
次に、図７，図８に示すように、カバー受け部材７を、留めねじ２０を用いることにより、取付けブラケット３１の両側（基板６の伸び方向両側）において、基板６にそれぞれ取付ける。この場合、留めねじ２０による取付け前に、前記上下の被係止部１２，１３間にカバー受け部材７が、その湾曲部１９ａ，１９ｂが表面側に突出するようにして嵌着されることになっており、留めねじ２０による取付けに際して、上下の被係止部１２，１３によりカバー受け部材７を仮止めしておくことができることになり、カバー受け部材７の取付け作業負担を軽減できることになる。
【００２９】
次に、図９，図１０に示すように、基板６に対して、下側カバー部材２４及び上側カバー部材２５を係止する。この場合、基板６に対して下側カバー部材２４を取付けるに際しては、基板６の被係止部１２に下側カバー部材２４の第２係止部２７を係止すると共にカバー受け部材７（基板６）の被係止部２１に下側カバー部材２４の第１係止部２６を係止する。これに伴い、下側カバー部材２４の下側部分２４ａが腰壁２の上部を飲み込んだ状態で当接し、腰壁２と見切り材４との見切り線をきちんとすると共に、腰壁２の木口処理を不要とすることになる。しかもこの場合、基板６からの被係止部１２の突出寸法が被係止部２１の突出寸法よりも少ないことに基づき、下側カバー部材２４が腰壁２側に倒れるように傾斜していて、その傾斜姿勢が、その下側カバー部材２４の可撓性と相まって、その下側カバー部材の下側部分２４ａを腰壁２の板厚に応じて撓ませることになり、様々な板厚の腰壁２に対応できることになる（図１０における下側カバー部材２４の下側部分２４ａの実線、仮想線参照）。
【００３０】
一方、基板６に対して上側カバー部材２５を取付けるに際しては、基板６の被係止部１３に上側カバー部材２５の第４係止部２９を係止すると共にカバー受け部材７（基板６）の被係止部２３に上側カバー部材２５の第３係止部２８を係止する。これにより、上側カバー部材２５が、取付けブラケット３１（突出部３７）よりも上側において、基板６及びカバー受け部材７を該基板６の伸び方向全体に亘って覆うことになる。この場合、上側カバー部材２５も可撓性部材とされ、その上側カバー部材２５の上端側（幅方向他方側）が壁面１Ａ側に当接するように傾斜していることから、壁体１に貼られるクロス等の様々な厚みに対して的確に対応できることになる。
【００３１】
次に、図１，図１１に示すように、前記下側カバー部材２４と上側カバー部材２５との間に、取付けブラケット３１（突出部３７）を挟むようにしつつ、目地被覆部材９を嵌め込む。見切り材４の表面を連続面とすると共に、第１，第３係止部２６，２８を被係止部２１，２３に押し付けて、各カバー部材２４（２５）が外れることをより確実に防止するためである。この場合、両目地被覆部材９の端部は、取付けブラケット３１における突出部３７の切り欠き３９内に入れ込まれ、外見上、目地被覆部材９の表面から突出部３７が植立されているようにされる。これにより、見栄えを向上させることができるだけでなく、目地被覆部材９の切断作業で、短い方向において寸法誤差が生じても、突出部３７の切り欠き３９に基づく切り欠き段部４０により隠すことができると共に、熱膨張に基づく目地被覆部材９の変位を切り欠き３９が形成する空間により吸収できることになる。しかも、目地被覆部材９が切り欠き３９内に入り込んで、その切り欠き段部４０の後方側に位置することから、目地被覆部材９が前方に移動することがその切り欠き段部により規制されることになり、目地被覆部材９が前方側に抜け出ることを防止できることになる。
【００３２】
次に、上記のようにして取付けた複数の取付けブラケット３１に手摺り本体３２を取付け、取付け作業を終える（図１〜図３参照）。
【００３３】
したがって、このような手摺り３を壁面１Ａに取付けた場合には、基板６の取付けブラケット３１（突出部３７）よりも上側領域が、その基板６の伸び方向全長に亘って上側カバー部材２５により覆われ、基板６の取付けブラケット３１（突出部３７）よりも下側領域が、その基板６の伸び方向全長に亘って下側カバー部材２４により覆われることから、見切り材４の上壁の途中に取付けブラケット３１（突出部３７）が介在されたり、取付けブラケット３１のために特別に切り欠きを形成する必要がなくなる。
また、可撓性を有する下側カバー部材２４の下側部分２４ａが、腰壁２の表面に的確に当接してその上部を覆い隠すことになり、様々な板厚の腰壁２において、下側カバー部材２４（見切り材４）と腰壁２との見切り線をきちんとできると共に腰壁２の木口処理を不要にできることになる。
【００３４】
図１２は第２実施形態、図１３〜図１６（図１５，図１６は従来技術を示すもの）は第３実施形態を示す。この各実施形態において、前記第１実施形態と同一構成要素については同一符号を付してその説明を省略する。
【００３５】
前記第１実施形態においては、基板６の表面に被係止部２１，２３（第１，第３被係止部）を設けるためにカバー受け部材７を基板６に取付けたものであったが、第２実施形態においては、基板６の表面に、被係止部１２，１３（第２，第４被係止部）だけでなく被係止部２１，２３も、直接、一体的に設けられることになっている。
この場合、この第２実施形態においても、取付けブラケット３１における取付けフランジ部３３の取付け時の案内（下地部材３６への案内）を行いつつ、各カバー部材２４（２５）との係止を干渉することなく行うことから、被係止部２１，２３の起立高さを、係止に支障がない程度まで取付けフランジ部３３の厚みよりも高くし、その被係止部２１，２３により取付けフランジ部３３の取付け時の案内を行わせることとされている。
【００３６】
第３実施形態は、手摺り３を取付けるに際して、ドア枠５１、コーナー材５２に対してキャップ５３を用いないものを示している。
すなわち、従来においては、一般的に、図１５に示すように、ドア枠５１と手摺り３における壁面ガードレール５４の端部との間において、厚みに違いがあることから、キャップ５３が介在され、また、図１６に示すように、コーナー材５２と壁面ガードレール５４の端部との間においても、同様の理由から、キャップ５３が介在されることになっていたが、第３実施形態においては、当該手摺り３における見切り材４（壁面ガードレール５４に相当）の厚み（前方への張出し寸法）を比較的薄くできることから、キャップ５３を使用せずに、見切り材４の端面を、ドア枠５１、又はコーナー材５２に対して直付けする施工が行われる（図１３，図１４参照）。これにより、この第３実施形態においては、部品点数の低減を図ることができると共に見栄えを向上させることができることになる。
尚、図１３，図１５中、符号５５はドアを示す。
【００３７】
以上各実施形態について説明したが、見切り材４の構成要素としての材質としては合成樹脂、取付けブラケット３１の材質としては金属が好ましいが、これらに限らず、種々のものを適宜用いることができる。
【００３８】
尚、本発明の目的は、明記されたものに限らず、実質的に好ましい或いは利点として記載されたものに対応したものを提供することをも含むものである。
【図面の簡単な説明】
【００３９】
【図１】実施形態に係る手摺りユニットが壁面に取付けられた状態を示す部分正面図。
【図２】実施形態に係る手摺りユニットが壁面に取付けられた状態を示す斜視図。
【図３】図１の３Ｘ−３Ｘ線拡大断面図。
【図４】図１の４Ｘ−４Ｘ線拡大断面図。
【図５】実施形態に係る基板及び取付けブラケットが壁面に取付けられた状態を示す斜視図。
【図６】図５における取付けブラケット位置の縦断面図。
【図７】実施形態に係る基板、取付けブラケット及びカバー受け部材が壁面に取付けられた状態を示す斜視図。
【図８】図７の部分正面図。
【図９】実施形態に係る基板、取付けブラケット、カバー受け部材及び上下のカバー部材が壁面に取付けられた状態を示す斜視図。
【図１０】図９における取付けブラケット（取付けフランジ部）以外の位置の縦断面図。
【図１１】実施形態に係る壁面ガードレール（基板、取付けブラケット、カバー受け部材、上下のカバー部材、目地被覆部材）が壁面に取付けられた状態を示す斜視図。
【図１２】第２実施形態を説明する拡大部分縦断面図。
【図１３】第３実施形態を、ドア枠に適用した内容を説明する説明図。
【図１４】第３実施形態を、コーナー材に適用した内容を説明する説明図。
【図１５】ドア枠と手摺りとの間の従来の取付け関係を説明する説明図。
【図１６】コーナー材と手摺りとの間の従来の取付け関係を説明する説明図。
【符号の説明】
【００４０】
１Ａ：壁面
３：手摺り
５：手摺りユニット
６：基板
７：カバー受け部材
８：カバー部材
９：目地被覆部材
１２：被係止部（第２被係止部）
１２ａ：第１部分（垂直片部）
１３：被係止部（第４被係止部）
１３ａ：第１部分（垂直片部）
２１：被係止部（第１被係止部）
２３：被係止部（第３被係止部）
２４：下側カバー部材（第１カバー部材）
２４ａ：下側カバー部材（第１カバー部材）の下側部分
２５：上側カバー部材（第２カバー部材）
２６：第１係止部
２７：第２係止部
２８：第３係止部
２９：第４係止部
３１：取付けブラケット（手摺りブラケット）
３２：手摺り本体
３９：切り欠き
【図１】
0004646223.tif 000002
【図２】
0004646223.tif 000003
【図３】
0004646223.tif 000004
【図４】
0004646223.tif 000005
【図５】
0004646223.tif 000006
【図６】
0004646223.tif 000007
【図７】
0004646223.tif 000008
【図８】
0004646223.tif 000009
【図９】
0004646223.tif 000010
【図１０】
0004646223.tif 000011
【図１１】
0004646223.tif 000012
【図１２】
0004646223.tif 000013
【図１３】
0004646223.tif 000014
【図１４】
0004646223.tif 000015
【図１５】
0004646223.tif 000016
【図１６】
0004646223.tif 000017